(57)【特許請求の範囲】
【請求項１】
複数の発光ダイオードの駆動を制御するために入力された複数のＰＷＭ信号の変化タイミング同士の重なりを検出する検出回路と、
前記検出回路によって前記複数のＰＷＭ信号の変化タイミング同士の重なりが検出された場合、当該重なりが解消するように、前記複数のＰＷＭ信号のうちの少なくともいずれか一つのＰＷＭ信号の変化タイミングを変更する変更回路と、
前記変更回路による変更後のＰＷＭ信号を含む複数のＰＷＭ信号に基づいて、前記複数の発光ダイオードの駆動を制御する制御回路と
を備えることを特徴とする発光ダイオード点灯制御回路。
【請求項２】
前記変更回路は、
前記複数のＰＷＭ信号のうちの変更対象とするＰＷＭ信号のうち、前記重なりが検出された変化タイミングを含む一部の期間の信号を変更することにより、前記重なりが解消するように、当該変更対象とするＰＷＭ信号の変化タイミングを変更する
ことを特徴とする請求項１に記載の発光ダイオード点灯制御回路。
【請求項３】
前記変更回路は、
前記複数のＰＷＭ信号のうちの変更対象とするＰＷＭ信号のうち、前記重なりが検出された変化タイミングを含む一部の期間の信号を、予め生成された当該変更対象とするＰＷＭ信号の遅延信号と入れ替えることにより、前記重なりが解消するように、当該変更対象とするＰＷＭ信号の変化タイミングを変更する
ことを特徴とする請求項２に記載の発光ダイオード点灯制御回路。
【請求項４】
前記変更回路は、
前記検出回路によって２つのＰＷＭ信号の変化タイミング同士の重なりが検出された場合、当該重なりが解消するように、前記２つのＰＷＭ信号のうちのいずれか一方のＰＷＭ信号の変化タイミングを変更する
ことを特徴とする請求項１から３のいずれか一項に記載の発光ダイオード点灯制御回路。
【請求項５】
前記変更回路は、
前記検出回路によって３つ以上のＰＷＭ信号の変化タイミング同士の重なりが検出された場合、当該重なりが解消するように、前記３つ以上のＰＷＭ信号のうちのいずれか１つのＰＷＭ信号を基準として、他のＰＷＭ信号の変化タイミングを変更する
ことを特徴とする請求項１から３のいずれか一項に記載の発光ダイオード点灯制御回路。
【請求項６】
前記検出回路は、
前記複数のＰＷＭ信号をサンプリングし、当該サンプリングがなされた前記複数のＰＷＭ信号を参照することにより、前記複数のＰＷＭ信号の各々の変化タイミングを特定し、特定された前記複数のＰＷＭ信号の各々の変化タイミング同士を比較することにより、前記複数のＰＷＭ信号の変化タイミング同士の重なりを検出する
ことを特徴とする請求項１から５のいずれか一項に記載の発光ダイオード点灯制御回路。
【請求項７】
前記複数のＰＷＭ信号の各々について、当該ＰＷＭ信号から、当該ＰＷＭ信号の遅延信号を生成する生成回路をさらに備え、
前記検出回路は、
前記生成回路によって生成された複数のＰＷＭ信号の遅延信号の変化タイミング同士の重なりを検出し、
前記変更回路は、
前記検出回路によって前記複数のＰＷＭ信号の遅延信号の変化タイミング同士の重なりが検出された場合、当該重なりが解消するように、前記複数のＰＷＭ信号の遅延信号のうちの少なくともいずれか一つの遅延信号の変化タイミングをさらに遅延させる変更を行い、
制御回路は、
前記変更回路による変更後の遅延信号を含む複数のＰＷＭ信号の遅延信号に基づいて、前記複数の発光ダイオードの駆動を制御する
ことを特徴とする請求項１から６のいずれか一項に記載の発光ダイオード点灯制御回路。
【請求項８】
前記複数のＰＷＭ信号の各々について、当該ＰＷＭ信号から、当該ＰＷＭ信号の遅延信号を複数生成する生成回路をさらに備え、
前記検出回路は、
前記複数のＰＷＭ信号の各々について、生成された複数の遅延信号同士を比較することにより、当該ＰＷＭ信号の変化タイミングを特定する
ことを特徴とする請求項１から７のいずれか一項に記載の発光ダイオード点灯制御回路。
【請求項９】
前記変更回路の複数の入力端子に入力される複数のＰＷＭ信号の組み合わせを変更することにより、前記変更回路によって変化タイミングが変更されるＰＷＭ信号を変更する第１組み合わせ変更回路と、
前記変更回路の複数の出力端子から前記組み合わせの変更がなされた状態で出力された複数のＰＷＭ信号が、前記組み合わせの変更がなされる前の組み合わせで、前記制御回路の複数の入力端子に入力されるように、前記変更回路の複数の出力端子から出力された複数のＰＷＭ信号の組み合わせをさらに変更する第２組み合わせ変更回路と
をさらに備えることを特徴とする請求項１から８のいずれか一項に記載の発光ダイオード点灯制御回路。
【請求項１０】
複数の発光ダイオードの駆動を制御するために入力された複数のＰＷＭ信号の変化タイミング同士の重なりを検出する検出工程と、
前記検出工程において前記複数のＰＷＭ信号の変化タイミング同士の重なりが検出された場合、当該重なりが解消するように、前記複数のＰＷＭ信号のうちの少なくともいずれか一つのＰＷＭ信号の変化タイミングを変更する変更工程と、
前記変更回路による変更後のＰＷＭ信号を含む複数のＰＷＭ信号に基づいて、前記複数の発光ダイオードの駆動を制御する制御工程と
を含んだことを特徴とする発光ダイオード点灯制御方法。
【発明の詳細な説明】
【技術分野】
【０００１】
本発明は、ＬＥＤ（Liquid Crystal Display）のような複数の発光素子を集合させて１つの光源を構成し、この光源を照明灯として任意の明るさに点灯制御できるようにした発光ダイオード点灯制御回路および発光ダイオード点灯制御方法に関する。
【背景技術】
【０００２】
近年のＬＥＤは、その性能アップが急速に進むとともに、照明に不可欠な白色のＬＥＤが開発され、また明るさにおいても照明として十分に使用できる輝度で発光できるようになってきた。
【０００３】
図１１は、従来の発光ダイオード点灯装置の構成を示す回路図である。
【０００４】
図１１に示す発光ダイオード点灯装置９００は、複数の発光ダイオードの一例としての、ＬＥＤアレイ９２１Ｒ、ＬＥＤアレイ９２１Ｇ、およびＬＥＤアレイ９２１Ｂを備えている。また、発光ダイオード点灯装置９００は、電源Ｖｄｄ１、および発光ダイオード点灯制御回路９０３を備えている。
【０００５】
ＬＥＤアレイ９２１Ｒは、直列に接続された複数の赤系色のＬＥＤによって構成されている。ＬＥＤアレイ９２１Ｇは、直列に接続された複数の緑系色のＬＥＤによって構成されている。ＬＥＤアレイ９２１Ｂは、直列に接続された複数の青系色のＬＥＤによって構成されている。
【０００６】
電源Ｖｄｄ１は、ＬＥＤアレイ９２１Ｒ、ＬＥＤアレイ９２１Ｇ、およびＬＥＤアレイ９２１Ｂのそれぞれの一端に接続されている。電源Ｖｄｄ１は、ＬＥＤアレイを点灯させるための電源を、ＬＥＤアレイ９２１Ｒ、ＬＥＤアレイ９２１Ｇ、およびＬＥＤアレイ９２１Ｂのそれぞれに対して供給する。
【０００７】
発光ダイオード点灯制御回路９０３は、ＬＥＤアレイ９２１Ｒ、ＬＥＤアレイ９２１Ｇ、およびＬＥＤアレイ９２１Ｂのそれぞれの他端に接続されている。発光ダイオード点灯制御回路９０３は、ＬＥＤアレイ９２１Ｒ、ＬＥＤアレイ９２１Ｇ、およびＬＥＤアレイ９２１Ｂに供給される定電流値の各々を制御する。
【０００８】
発光ダイオード点灯制御回路９０３は、パワーＭＯＳトランジスタ９０６Ｒ、抵抗９０４Ｒ、パワーＭＯＳトランジスタ９０６Ｇ、抵抗９０４Ｇ、パワーＭＯＳトランジスタ９０６Ｂ、抵抗９０４Ｂ、およびＬＥＤドライバ９０５を有している。
【０００９】
パワーＭＯＳトランジスタ９０６Ｒは、ＬＥＤアレイ９２１Ｒの他端、抵抗９０４Ｒ、およびＬＥＤドライバ９０５のそれぞれに接続されている。パワーＭＯＳトランジスタ９０６Ｇは、ＬＥＤアレイ９２１Ｇの他端、抵抗９０４Ｇ、およびＬＥＤドライバ９０５のそれぞれに接続されている。パワーＭＯＳトランジスタ９０６Ｂは、ＬＥＤアレイ９２１Ｂの他端、抵抗９０４Ｂ、およびＬＥＤドライバ９０５のそれぞれに接続されている。
【００１０】
図１１では、ＬＥＤドライバ９０５のうち、各ＬＥＤアレイに流れる定電流値を制御するための回路と、ＬＥＤの輝度を制御するための回路を記載しているが、実際には、ＬＥＤドライバ９０５は、上記機能だけでなく、ＬＥＤのオープン検出、ショート検出等、様々な機能が備えられている。
【００１１】
ＬＥＤドライバ９０５は、オペアンプ９１５Ｒ、オペアンプ９１５Ｇ、およびオペアンプ９１５Ｂを有している。
【００１２】
オペアンプ９１５Ｒは、パワーＭＯＳトランジスタ９０６Ｒを制御するための制御パルスを、スイッチ回路９１１Ｒを介してパワーＭＯＳトランジスタ９０６Ｒに供給する。
【００１３】
オペアンプ９１５Ｇは、パワーＭＯＳトランジスタ９０６Ｇを制御するための制御パルスを、スイッチ回路９１１Ｇを介してパワーＭＯＳトランジスタ９０６Ｇに供給する。
【００１４】
オペアンプ９１５Ｂは、パワーＭＯＳトランジスタ９０６Ｂを制御するための制御パルスを、スイッチ回路９１１Ｂを介してパワーＭＯＳトランジスタ９０６Ｂに供給する。
【００１５】
発光ダイオード点灯制御回路９０３においては、オペアンプ９１５Ｒと、パワーＭＯＳトランジスタ９０６Ｒと、抵抗９０４Ｒとにより、ＬＥＤアレイ９２１Ｒへ供給される定電流値を制御するための定電流回路が構成される。
【００１６】
また、オペアンプ９１５Ｇと、パワーＭＯＳトランジスタ９０６Ｇと、抵抗９０４Ｇとにより、ＬＥＤアレイ９２１Ｇへ供給される定電流値を制御するための定電流回路が構成される。
【００１７】
また、オペアンプ９１５Ｂと、パワーＭＯＳトランジスタ９０６Ｂと、抵抗９０４Ｂとにより、ＬＥＤアレイ９２１Ｂへ供給される定電流値を制御するための定電流回路が構成される。
【００１８】
ＬＥＤアレイ９２１Ｒへ供給される定電流値は、オペアンプ９１５ＲのＶｒｅｆＲに入力される電圧と、抵抗９０４Ｒの抵抗値とによって決定される電流により決定される。
【００１９】
ＬＥＤアレイ９２１Ｇへ供給される定電流値は、オペアンプ９１５ＧのＶｒｅｆＧに入力される電圧と、抵抗９０４Ｇの抵抗値とによって決定される電流により決定される。
【００２０】
ＬＥＤアレイ９２１Ｂへ供給される定電流値は、オペアンプ９１５ＲのＶｒｅｆＢに入力される電圧と、抵抗９０４Ｂの抵抗値とによって決定される電流により決定される。
【００２１】
発光ダイオード点灯制御回路９０３には、ＰＷＭ＿Ｒ、ＰＷＭ＿Ｇ、およびＰＷＭ＿Ｂのそれぞれから、ＰＷＭ（Pulse Width Modulation）信号が入力される。
【００２２】
ＰＷＭ＿Ｒ、ＰＷＭ＿Ｇ、およびＰＷＭ＿Ｂから入力されるＰＷＭ信号とは、ＬＥＤアレイ９２１Ｒ，９２１Ｇ，９２１ＢをＰＷＭ制御するための信号であり、具体的には、ＬＥＤアレイ９２１Ｒ，９２１Ｇ，９２１Ｂの各々の輝度を調整するためのものでる。これら各ＰＷＭ信号による各ＬＥＤアレイの輝度調整は、制御回路９１０Ｒ、制御回路９１０Ｇ、および制御回路９１０Ｂによって制御される。
【００２３】
例えば、制御回路９１０Ｒは、ＰＷＭ＿Ｒから入力されたＰＷＭ信号に基づいて、ＬＥＤアレイ９２１Ｒの輝度を調整する。具体的には、ＰＷＭ＿Ｒから入力されたＰＷＭ信号が“Ｈ”の期間においては、制御回路９１０Ｒが、スイッチ回路９１１Ｒをオンにするとともに、プルダウントランジスタ９１２Ｒをオフにする。これにより、トランジスタ９０６Ｒに定電流が供給され、その結果、ＬＥＤアレイ９２１Ｒが点灯する。
【００２４】
一方、ＰＷＭ＿Ｒから入力されたＰＷＭ信号が“Ｌ”の期間においては、制御回路９１０Ｒは、スイッチ回路９１１Ｒをオフにするとともに、プルダウントランジスタ９１２Ｒをオンにする。これにより、トランジスタ９０６Ｒに対する定電流の供給が停止され、その結果、ＬＥＤアレイ９２１Ｒが消灯する。
【００２５】
発光ダイオード点灯制御回路９０３は、このようなＬＥＤアレイ９２１Ｒの点灯及び消灯を繰り返し制御することにより、ＬＥＤアレイ９２１Ｒの輝度を調整する。
【００２６】
同様にして、制御回路９１０Ｇは、ＰＷＭ＿Ｇから入力されたＰＷＭ信号に基づいて、ＬＥＤアレイ９２１Ｇの輝度を調整し、制御回路９１０Ｂは、ＰＷＭ＿Ｂから入力されたＰＷＭ信号に基づいて、ＬＥＤアレイ９２１Ｂの輝度を調整する。
【００２７】
このように、発光ダイオード点灯制御回路９０３は、ＬＥＤアレイ９２１Ｒ、ＬＥＤアレイ９２１Ｇ、およびＬＥＤアレイ９２１Ｂの各々の輝度を調整することにより、発光ダイオード点灯装置９００が発する照明の色合いを調整する。
【００２８】
このような発光ダイオード点灯装置では、各ＬＥＤアレイの輝度を調整するため、各ＬＥＤアレイのそれぞれについて、ＰＷＭ信号の１周期を決定した後、そのうちの“Ｈ”期間および“Ｌ”期間を決定する方法が一般的に用いられている。
【００２９】
このようにＰＷＭ信号を決定する方法では、１周期毎に各ＰＷＭ信号の変化タイミング（立ち上がりタイミング）が揃ってしまい、全てのＬＥＤアレイが同一のタイミングで駆動されてしまう。このとき、発光ダイオード点灯装置内において、大きな電流が生じてしまい、周囲の通信機器等に対して悪影響を及ぼすノイズが発生するといった不具合が生じてしまう。
【００３０】
そこで、特許文献１には、このような不具合の発生を防止することを目的として、複数のＬＥＤアレイのそれぞれの輝度をＰＷＭ信号で制御する場合において、各周期毎に、各ＰＷＭ信号の変化タイミング、すなわち、各ＬＥＤアレイの駆動タイミングを所定量ずつずらす方法が記載されている。これにより、全てのＬＥＤアレイが同一のタイミングで駆動されることなく、大電流によるノイズの発生を低減する事ができるとされている。
【先行技術文献】
【特許文献】
【００３１】
【特許文献１】特開２００８−９１３１１号公報
【発明の概要】
【発明が解決しようとする課題】
【００３２】
しかしながら、複数のＰＷＭ信号のいずれもが同じ周期的になものであるとは限らない。例えば、複数のＰＷＭ信号の関係において、ＰＷＭ信号の“Ｈ”の期間の幅、“Ｌ”の期間の幅、周期等が異なることにより、複数のＰＷＭ信号のいずれもが同じ周期的になものにならない場合が考えられる。このような場合、例えば入力された複数のＰＷＭ信号の各々が重ならないようにすることを目的として、あるＰＷＭ信号の変化タイミングを基準に他のＰＷＭ信号の変化タイミングを所定量ずつずらすように構成したとしても、各ＰＷＭ信号の変化タイミングが周期的なものではないから、その後、複数のＰＷＭ信号の変化タイミングが重なってしまうことがある。
【００３３】
本発明の目的は、変化タイミングの重なりが非周期的に発生する複数のＰＷＭ信号が入力された場合であっても、これらのＰＷＭ信号によって複数の発光ダイオードが同一のタイミングで駆動されることによるノイズの発生を防止することにある。
【課題を解決するための手段】
【００３４】
本発明に係る発光ダイオード点灯制御回路は、複数の発光ダイオードの駆動を制御するために入力された複数のＰＷＭ信号の変化タイミング同士の重なりを検出する検出回路と、前記検出回路によって前記複数のＰＷＭ信号の変化タイミング同士の重なりが検出された場合、当該重なりが解消するように、前記複数のＰＷＭ信号のうちの少なくともいずれか一つのＰＷＭ信号の変化タイミングを変更する変更回路と、前記変更回路による変更後のＰＷＭ信号を含む複数のＰＷＭ信号に基づいて、前記複数の発光ダイオードの駆動を制御する制御回路とを備えることを特徴とする。
【００３５】
この特徴により、複数のＰＷＭ信号の変化タイミング同士の重なりを検出する都度、この重なりを解消することができるので、変化タイミング同士の重なりが非周期的に発生する複数のＰＷＭ信号が入力された場合であっても、これらのＰＷＭ信号によって複数の発光ダイオードが同一のタイミングで駆動されることによるノイズの発生を防止することができる。
【００３６】
なお、本発明に係る発光ダイオード点灯制御回路では、前記変更回路は、前記複数のＰＷＭ信号のうちの変更対象とするＰＷＭ信号のうち、前記重なりが検出された変化タイミングを含む一部の期間の信号を変更することにより、前記重なりが解消するように、当該変更対象とするＰＷＭ信号の変化タイミングを変更することが好ましい。
【００３７】
この特徴により、入力された複数のＰＷＭ信号を大きく損ねることなく、複数のＰＷＭ信号の変化タイミング同士の重なりを解消することができる。これにより、複数の発光ダイオードが発する照明の色合いを大きく損ねることなく、複数の発光ダイオードが同一のタイミングで駆動されることによるノイズの発生を防止することができる。
【００３８】
また、本発明に係る発光ダイオード点灯制御回路では、前記変更回路は、前記複数のＰＷＭ信号のうちの変更対象とするＰＷＭ信号のうち、前記重なりが検出された変化タイミングを含む一部の期間の信号を、予め生成された当該変更対象とするＰＷＭ信号の遅延信号と入れ替えることにより、前記重なりが解消するように、当該変更対象とするＰＷＭ信号の変化タイミングを変更することが好ましい。
【００３９】
この特徴により、ＰＷＭ信号の変化タイミング同士の重なりを解消するための回路を簡易な構成で実現できる。これにより、複数の発光ダイオードが同一のタイミングで駆動されることによるノイズの発生を防止するといったことを、低コストで実現することができる。
【００４０】
また、本発明に係る発光ダイオード点灯制御回路では、前記変更回路は、前記検出回路によって２つのＰＷＭ信号の変化タイミング同士の重なりが検出された場合、当該重なりが解消するように、前記２つのＰＷＭ信号のうちのいずれか一方のＰＷＭ信号の変化タイミングを変更することが好ましい。
【００４１】
この特徴により、入力された複数のＰＷＭ信号を大きく損ねることなく、複数のＰＷＭ信号の変化タイミング同士の重なりを解消することができる。また、ＰＷＭ信号の変化タイミング同士の重なりを解消するための回路を簡易な構成で実現できる。これにより、複数の発光ダイオードが発する照明の色合いを大きく損ねることなく、複数の発光ダイオードが同一のタイミングで駆動されることによるノイズの発生を防止するといったことを、低コストで実現することができる。
【００４２】
また、本発明に係る発光ダイオード点灯制御回路では、前記変更回路は、前記検出回路によって３つ以上のＰＷＭ信号の変化タイミング同士の重なりが検出された場合、当該重なりが解消するように、前記３つ以上のＰＷＭ信号のうちのいずれか１つのＰＷＭ信号を基準として、他のＰＷＭ信号の変化タイミングを変更することが好ましい。
【００４３】
この特徴により、入力された複数のＰＷＭ信号を大きく損ねることなく、複数のＰＷＭ信号の変化タイミング同士の重なりを解消することができる。また、ＰＷＭ信号の変化タイミング同士の重なりを解消するための回路を簡易な構成で実現できる。これにより、複数の発光ダイオードが発する照明の色合いを大きく損ねることなく、複数の発光ダイオードが同一のタイミングで駆動されることによるノイズの発生を防止するといったことを、低コストで実現することができる。
【００４４】
また、本発明に係る発光ダイオード点灯制御回路では、前記検出回路は、前記複数のＰＷＭ信号をサンプリングし、当該サンプリングがなされた前記複数のＰＷＭ信号を参照することにより、前記複数のＰＷＭ信号の各々の変化タイミングを特定し、特定された前記複数のＰＷＭ信号の各々の変化タイミング同士を比較することにより、前記複数のＰＷＭ信号の変化タイミング同士の重なりを検出することが好ましい。
【００４５】
この特徴により、複数のＰＷＭ信号の変化タイミング同士の重なりをより確実に検出することができる。これにより、複数の発光ダイオードが同一のタイミングで駆動されることによるノイズの発生を防止するといったことを、より高精度で実現することができる。
【００４６】
また、本発明に係る発光ダイオード点灯制御回路では、前記複数のＰＷＭ信号の各々について、当該ＰＷＭ信号から、当該ＰＷＭ信号の遅延信号を生成する生成回路をさらに備え、前記検出回路は、前記生成回路によって生成された複数のＰＷＭ信号の遅延信号の変化タイミング同士の重なりを検出し、前記変更回路は、前記検出回路によって前記複数のＰＷＭ信号の遅延信号の変化タイミング同士の重なりが検出された場合、当該重なりが解消するように、前記複数のＰＷＭ信号の遅延信号のうちの少なくともいずれか一つの遅延信号の変化タイミングをさらに遅延させる変更を行い、制御回路は、前記変更回路による変更後の遅延信号を含む複数のＰＷＭ信号の遅延信号に基づいて、前記複数の発光ダイオードの駆動を制御することが好ましい。
【００４７】
また、本発明に係る発光ダイオード点灯制御回路では、前記複数のＰＷＭ信号の各々について、当該ＰＷＭ信号から、当該ＰＷＭ信号の遅延信号を複数生成する生成回路をさらに備え、前記検出回路は、前記複数のＰＷＭ信号の各々について、生成された複数の遅延信号同士を比較することにより、当該ＰＷＭ信号の変化タイミングを特定することが好ましい。
【００４８】
この特徴により、複数のＰＷＭ信号の変化タイミングの各々をより確実かつ簡易な回路構成で特定することができる。これにより、複数の発光ダイオードが同一のタイミングで駆動されることによるノイズの発生を防止するといったことを、より高精度かつ低コストで実現することができる。
【００４９】
また、本発明に係る発光ダイオード点灯制御回路では、前記変更回路の複数の入力端子に入力される複数のＰＷＭ信号の組み合わせを変更することにより、前記変更回路によって変化タイミングが変更されるＰＷＭ信号を変更する第１組み合わせ変更回路と、前記変更回路の複数の出力端子から前記組み合わせの変更がなされた状態で出力された複数のＰＷＭ信号が、前記組み合わせの変更がなされる前の組み合わせで、前記制御回路の複数の入力端子に入力されるように、前記変更回路の複数の出力端子から出力された複数のＰＷＭ信号の組み合わせをさらに変更する第２組み合わせ変更回路とをさらに備えることが好ましい。
【００５０】
この特徴により、変更回路の構成を変更することなく、変化タイミングが変更されるＰＷＭ信号を変更することができる。また、変化タイミング変更後は、組み合わせの変更を元に戻すので、各発光ダイオードの各々について、当該発光ダイオードに元々対応していたＰＷＭ信号に基づいて、当該発光ダイオードの駆動を制御することができる。
【００５１】
また、本発明に係る発光ダイオード発光ダイオード点灯制御方法では、複数の発光ダイオードの駆動を制御するために入力された複数のＰＷＭ信号の変化タイミング同士の重なりを検出する検出工程と、前記検出工程において前記複数のＰＷＭ信号の変化タイミング同士の重なりが検出された場合、当該重なりが解消するように、前記複数のＰＷＭ信号のうちの少なくともいずれか一つのＰＷＭ信号の変化タイミングを変更する変更工程と、
前記変更回路による変更後のＰＷＭ信号を含む複数のＰＷＭ信号に基づいて、前記複数の発光ダイオードの駆動を制御する制御工程とを含んだことを特徴とする。
【００５２】
この特徴により、複数のＰＷＭ信号の変化タイミング同士の重なりを検出する都度、この重なりを解消することができるので、変化タイミング同士の重なりが非周期的に発生する複数のＰＷＭ信号が入力された場合であっても、これらのＰＷＭ信号によって複数の発光ダイオードが同一のタイミングで駆動されることによるノイズの発生を防止することができる。
【発明の効果】
【００５３】
本発明に係る発光ダイオード点灯制御回路および発光ダイオード点灯制御方法は、入力された複数のＰＷＭ信号の変化タイミング同士の重なりを検出すると、この重なりが解消するように、複数のＰＷＭ信号のうちの少なくともいずれか一つのＰＷＭ信号の変化タイミングを変更することとした。これにより、変化タイミングの重なりが非周期的に発生する複数のＰＷＭ信号が入力された場合であっても、これらのＰＷＭ信号によって複数の発光ダイオードが同一のタイミングで駆動されることによるノイズの発生を防止することができる。
【図面の簡単な説明】
【００５４】
【図１】実施の形態１に係る発光ダイオード点灯装置の構成を示す回路図である。
【図２】実施の形態１に係るＰＷＭ信号調整回路に入力されるＰＷＭ信号の一例を示す図である。
【図３】実施の形態１に係るＰＷＭ信号調整回路の構成を示す回路図である。
【図４】実施の形態１に係るＰＷＭ信号調整回路が扱う各種信号のタイミングを示すタイミング図である。
【図５】実施の形態２に係るＰＷＭ信号調整回路の構成を示す回路図である。
【図６】実施の形態２に係るＰＷＭ信号調整回路が扱う各種信号のタイミングを示すタイミング図である。
【図７】実施の形態３に係る発光ダイオード点灯装置の構成を示す回路図である。
【図８】実施の形態３に係るＰＷＭタイミング調整回路の構成を示す回路図である。
【図９】実施の形態３に係るＰＷＭ信号調整回路の構成を示す回路図である。
【図１０】実施の形態３に係る制御回路による制御の具体例を示す図である。
【図１１】従来の発光ダイオード点灯装置の構成を示す回路図である。
【発明を実施するための形態】
【００５５】
以下、本発明の一実施形態に係る発光ダイオード点灯装置について、図面を用いて説明する。
（実施の形態１）
まず、本発明に係る発光ダイオード点灯装置の実施の形態１について説明する。図１は、実施の形態１に係る発光ダイオード点灯装置の構成を示す回路図である。図１に示す発光ダイオード点灯装置１００は、図１１に示す発光ダイオード点灯装置９００と同様に、複数の発光ダイオード（ＬＥＤアレイ９２１Ｒ，９２１Ｇ，９２１Ｂ）を点灯させる装置である。この発光ダイオード点灯装置１００は、発光ダイオード点灯制御回路９０３とは異なる発光ダイオード点灯制御回路１０３を備える点で、図１１に示す発光ダイオード点灯装置９００と相違する。発光ダイオード点灯制御回路１０３は、ダイオード点灯制御回路９０３が備えるＬＥＤドライバ９０５とは異なるＬＥＤドライバ１０５を備える。ＬＥＤドライバ１０５は、ＰＷＭ信号調整回路１０４を備える点で、ＬＥＤドライバ９０５と相違する。なお、以降の説明において、前述した構成要素と同一の構成要素には同一の参照符号を付し、その詳細については省略する。
【００５６】
ＰＷＭ信号調整回路１０４は、ＰＷＭ＿Ｒから入力されたＰＷＭ信号（以下、単に「ＰＷＭ＿Ｒ」と示す。）、ＰＷＭ＿Ｇから入力されたＰＷＭ信号（以下、単に「ＰＷＭ＿Ｇ」と示す。）、およびＰＷＭ＿Ｂから入力されたＰＷＭ信号（以下、単に「ＰＷＭ＿Ｂ」と示す。）のそれぞれのタイミングを調整することにより、ＰＷＭ＿Ｒｏｕｔ、ＰＷＭ＿Ｇｏｕｔ、およびＰＷＭ＿ＢｏｕｔのそれぞれのＰＷＭ信号を生成し、これを出力する。
【００５７】
ＰＷＭ信号調整回路１０４から出力されたＰＷＭ＿Ｒｏｕｔ、ＰＷＭ＿Ｇｏｕｔ、およびＰＷＭ＿Ｂｏｕｔは、ＬＥＤアレイ９２１Ｒ、ＬＥＤアレイ９２１Ｇ、およびＬＥＤアレイ９２１Ｂの各々の輝度を調整するためのものでる。これら各ＰＷＭ信号による各ＬＥＤアレイの輝度調整は、図１１で説明した発光ダイオード点灯装置９００と同様に、ＬＥＤドライバ１０５が備える制御回路９１０Ｒ、制御回路９１０Ｇ、および制御回路９１０Ｂによって制御される。
【００５８】
例えば、制御回路９１０Ｒは、ＰＷＭ信号調整回路１０４から出力されたＰＷＭ＿Ｒｏｕｔに基づいて、ＬＥＤアレイ９２１Ｒの輝度を調整する。具体的には、ＰＷＭ信号調整回路１０４から出力されたＰＷＭ＿Ｒｏｕｔが“Ｈ”の期間においては、制御回路９１０Ｒが、スイッチ回路９１１Ｒをオンにするとともに、プルダウントランジスタ９１２Ｒをオフにする。これにより、トランジスタ９０６Ｒに定電流が供給され、その結果、ＬＥＤアレイ９２１Ｒが点灯する。
【００５９】
一方、ＰＷＭ信号調整回路１０４から出力されたＰＷＭ＿Ｒｏｕｔが“Ｌ”の期間においては、制御回路９１０Ｒは、スイッチ回路９１１Ｒをオフにするとともに、プルダウントランジスタ９１２Ｒをオンにする。これにより、トランジスタ９０６Ｒに対する定電流の供給が停止され、その結果、ＬＥＤアレイ９２１Ｒが消灯する。
【００６０】
制御回路９１０Ｒは、このようなＬＥＤアレイ９２１Ｒの点灯及び消灯を繰り返し制御することにより、ＬＥＤアレイ９２１Ｒの輝度を調整する。
【００６１】
同様にして、制御回路９１０Ｇは、ＰＷＭ信号調整回路１０４から出力されたＰＷＭ＿Ｇｏｕｔに基づいて、ＬＥＤアレイ９２１Ｇの輝度を調整する。また、制御回路９１０Ｂは、ＰＷＭ信号調整回路１０４から出力されたＰＷＭ＿Ｂｏｕｔに基づいて、ＬＥＤアレイ９２１Ｂの輝度を調整する。
【００６２】
ここで、ＰＷＭ信号調整回路１０４は、複数のＰＷＭ信号の変化タイミングが重ならないように、ＰＷＭ＿Ｒｏｕｔ、ＰＷＭ＿Ｇｏｕｔ、およびＰＷＭ＿ＢｏｕｔのそれぞれのＰＷＭ信号を生成し、これを出力する。具体的には、ＰＷＭ信号調整回路１０４は、ＰＷＭ＿Ｒ、ＰＷＭ＿Ｇ、およびＰＷＭ＿Ｂの変化タイミング（立ち上がりおよび立ち下がりのタイミング）を監視し、複数のＰＷＭ信号の変化タイミング同士の重なりを検知した場合には、このような変化タイミング同士の重なりが解消するように、各ＰＷＭ信号の変化タイミングを変更した上で、これをＰＷＭ＿Ｒｏｕｔ、ＰＷＭ＿Ｇｏｕｔ、およびＰＷＭ＿Ｂｏｕｔとして出力する。
【００６３】
このように、本実施の形態の発光ダイオード点灯装置１００は、ＰＷＭ信号調整回路１０４によって、複数のＰＷＭ信号の変化タイミングの重なりを解消することで、複数のＬＥＤアレイが同一のタイミングで駆動されることなく、大電流によるノイズの発生を低減する事ができる。特に、ＰＷＭ信号調整回路１０４は、変化タイミングの重なりを監視し、この重なりが発生する都度、この重なりを解消するように構成しているため、入力された複数のＰＷＭ信号の周期や振幅が不規則的なものであったり、周期が互いに異なるなど、変化タイミングの重なりの予測が困難なものであったとしても、この重なりを解消することができるのである。
【００６４】
図２は、ＰＷＭ信号調整回路１０４に入力されるＰＷＭ信号の一例を示す図である。図１でも説明したとおり、ＰＷＭ信号調整回路１０４には、ＰＷＭ＿Ｒ、ＰＷＭ＿Ｇ、およびＰＷＭ＿Ｂが入力される。図２は、これら複数のＰＷＭ信号の一例を示したものである。なお、図２において、ＣＫは、ＰＷＭ信号調整回路１０４に供給されるクロック信号を示す。このＣＫは、ＰＷＭ信号調整回路１０４あるいはＬＥＤドライバ１０５において内部的に発生されたものであっても良く、ＰＷＭ信号調整回路１０４およびＬＥＤドライバ１０５の外部において発生されたものであっても良い。
【００６５】
図２に示すように、これら複数のＰＷＭ信号の関係において、複数のＰＷＭ信号の変化タイミングが互いに重なりあう場合がある。
【００６６】
例えば、タイミングｔ１においては、ＰＷＭ＿Ｒの立ち下がりタイミングと、ＰＷＭ＿Ｂの立ち下がりタイミングとが互いに重なり合っている。また、タイミングｔ２においては、ＰＷＭ＿Ｒの立ち下がりタイミングと、ＰＷＭ＿Ｇの立ち下がりタイミングとが互いに重なり合っている。また、タイミングｔ３においては、ＰＷＭ＿Ｒの立ち上がりタイミングと、ＰＷＭ＿Ｂの立ち上がりタイミングとが互いに重なり合っている。
【００６７】
また、タイミングｔ４においては、ＰＷＭ＿Ｒの立ち上がりタイミングと、ＰＷＭ＿Ｇの立ち上がりタイミングと、ＰＷＭ＿Ｂの立ち下がりタイミングとが互いに重なり合っている。また、タイミングｔ５においては、ＰＷＭ＿Ｇの立ち下がりタイミングと、ＰＷＭ＿Ｂの立ち下がりタイミングとが互いに重なり合っている。さらに、タイミングｔ６においては、ＰＷＭ＿Ｒの立ち上がりタイミングと、ＰＷＭ＿Ｂの立ち上がりタイミングとが互いに重なり合っている。
【００６８】
本実施形態のＰＷＭ信号調整回路１０４は、このようなＰＷＭ信号の変化タイミング同士の重なりを解消して、ＰＷＭ＿Ｒｏｕｔ、ＰＷＭ＿Ｇｏｕｔ、およびＰＷＭ＿Ｂｏｕｔとして出力するのである。
【００６９】
図３は、実施の形態１に係るＰＷＭ信号調整回路１０４の構成を示す回路図である。図４は、実施の形態１に係るＰＷＭ信号調整回路１０４が扱う各種信号のタイミングを示すタイミング図である。
【００７０】
図３に示す例では、ＰＷＭ＿ＲとＰＷＭ＿Ｇとの２つのＰＷＭ信号に着目し、これら２つのＰＷＭ信号同士において、変化タイミング（立ち上がりタイミングおよび立ち下がりタイミング）の重なりを解消するためのＰＷＭ信号調整回路１０４の構成例を説明する。図３に示す例では、図１に示したＰＷＭ＿Ｂの入力については図示しないが、実際には、そもそもＰＷＭ＿Ｂが入力されないか、もしくはＰＷＭ＿ＢをそのままＰＷＭ＿Ｂｏｕｔとして出力するように構成されている。
【００７１】
図３に示すように、本実施の形態１のＰＷＭ信号調整回路１０４は、ＤＦＦ３０１，３０２，３０３，３０４，３０５を備えている。本実施の形態１のＰＷＭ信号調整回路１０４は、これら複数のＤ−フリップフロップ（以下、「ＤＦＦ」と示す。）によって、ＰＷＭ＿ＲおよびＰＷＭ＿Ｇのそれぞれから、変化タイミングが異なる複数のＰＷＭ信号を生成する回路構成（生成回路）を有している。
【００７２】
具体的に説明すると、ＰＷＭ信号調整回路１０４に入力されたＰＷＭ＿Ｒは、ＤＦＦ３０１に入力される。ＤＦＦ３０１は、ＣＫの立ち上がりで、ＰＷＭ＿Ｒの状態をラッチし、ＰＷＭ＿ＲよりＣＫの１周期遅れたＲＱ１を生成する。ＲＱ１は、ＤＦＦ３０２に入力される。ＤＦＦ３０２は、ＣＫの立ち上がりで、ＲＱ１の状態をラッチし、ＲＱ１よりＣＫの１周期遅れたＲＱ２を生成する。ＲＱ２は、ＤＦＦ３０３に入力される。ＤＦＦ３０３は、ＣＫの立ち上がりで、ＲＱ２の状態をラッチし、ＲＱ２よりＣＫの１周期遅れたＲＱ３を生成する。
【００７３】
このようにして、ＰＷＭ信号調整回路１０４は、ＰＷＭ信号調整回路１０４に入力されたＰＷＭ＿Ｒから、ＣＫの１周期遅れたＲＱ１、ＣＫの２周期遅れたＲＱ２、およびＣＫの３周期遅れたＲＱ３を生成する。
【００７４】
同様にして、ＰＷＭ信号調整回路１０４は、ＰＷＭ信号調整回路１０４に入力されたＰＷＭ＿Ｇから、ＤＦＦ３０４によって、ＣＫの１周期遅れたＧＱ１を生成し、ＤＦＦ３０５によって、ＣＫの２周期遅れたＲＱ２を生成する。
【００７５】
また、図３に示すように、本実施の形態１のＰＷＭ信号調整回路１０４は、複数のＡＮＤ回路および複数のインバータ回路によって、ＰＷＭ＿ＲとＰＷＭ＿Ｇとの変化タイミング同士の重なりを検出する回路構成（検出回路）を有している。
【００７６】
具体的に説明すると、まず、ＰＷＭ信号調整回路１０４は、ＰＷＭ＿Ｒの変化タイミングを示す、信号ＲＨおよび信号ＲＬを生成する。また、ＰＷＭ信号調整回路１０４は、ＰＷＭ＿Ｇの変化タイミングを示す信号ＧＨ、および信号ＧＬを生成する。
【００７７】
信号ＲＬは、ＲＱ１の反転信号と、ＲＱ２との、ＡＮＤ出力である。この信号ＲＬは、ＰＷＭ＿Ｒが、ＣＫの１周期の間に“Ｈ”から“Ｌ”に変化したことを示すものである。
【００７８】
信号ＲＨは、ＲＱ１と、ＲＱ２の反転信号との、ＡＮＤ出力である。この信号ＲＨは、ＰＷＭ＿Ｒが、ＣＫの１周期の間に“Ｌ”から“Ｈ”に変化したことを示すものである。
【００７９】
信号ＧＬは、ＧＱ１の反転信号と、ＧＱ２との、ＡＮＤ出力である。この信号ＧＬは、ＰＷＭ＿Ｇが、ＣＫの１周期の間に“Ｈ”から“Ｌ”に変化したことを示すものである。
【００８０】
信号ＧＨは、ＧＱ１と、ＧＱ２の反転信号との、ＡＮＤ出力である。この信号ＧＨは、ＰＷＭ＿Ｇが、ＣＫの１周期の間に“Ｌ”から“Ｈ”に変化したことを示すものである。
【００８１】
次に、ＰＷＭ信号調整回路１０４は、信号ＲＬと信号ＧＬとのＡＮＤ出力信号、および信号ＲＨと信号ＧＨとのＡＮＤ出力信号を生成し、これを入力されたＰＷＭ信号同士の変化タイミングの重なりを示す信号として出力する。
【００８２】
信号ＲＬが“Ｈ”であり、信号ＧＬが“Ｈ”であるときというのは、ＰＷＭ＿Ｒが立ち下がったタイミングと、ＰＷＭ＿Ｇが立ち下がったタイミングとが同時に生じたことを意味する。したがって、これらのＡＮＤ出力信号が“Ｈ”を示す場合、ＰＷＭ＿Ｒと、ＰＷＭ＿Ｇとの変化タイミングの重なりが生じたことを意味する。
【００８３】
すなわち、ＰＷＭ信号調整回路１０４は、信号ＲＬと信号ＧＬとのＡＮＤ出力信号に“Ｈ”を出力したことをもって、ＰＷＭ＿Ｒと、ＰＷＭ＿Ｇとの変化タイミングの重なりを検知したことになる。
【００８４】
同様に、信号ＲＨが“Ｈ”であり、信号ＧＨが“Ｈ”であるときというのは、ＰＷＭ＿Ｒが立ち上がったタイミングと、ＰＷＭ＿Ｇが立ち上がったタイミングとが同時に生じたことを意味する。したがって、これらのＡＮＤ出力信号が“Ｈ”を示す場合、ＰＷＭ＿Ｒと、ＰＷＭ＿Ｇとの変化タイミングの重なりが生じたことを意味する。
【００８５】
すなわち、ＰＷＭ信号調整回路１０４は、信号ＲＨと信号ＧＨとのＡＮＤ出力信号に“Ｈ”を出力したことをもって、ＰＷＭ＿Ｒと、ＰＷＭ＿Ｇとの変化タイミングの重なりを検知したことになる。
【００８６】
さらに、図３に示すように、本実施の形態１のＰＷＭ信号調整回路１０４は、ＤＦＦ３０６，３０７を備えている。本実施の形態１のＰＷＭ信号調整回路１０４は、これら複数のＤＦＦを含む各種回路（ＤＦＦ、ＡＮＤ回路、ＯＲ回路、インバータ回路）によって、ＰＷＭ＿ＲとＰＷＭ＿Ｇとの変化タイミング同士の重なりを検出した場合に、この重なりが解消するように、出力するＰＷＭ信号の変化タイミングを変更する回路構成（変更回路）を有している。
【００８７】
具体的には、ＤＦＦ３０６は、信号ＲＬと信号ＧＬとのＡＮＤ出力信号を入力ＣＫとして、信号ＳＥＬＬを出力する。信号ＳＥＬＬは、信号ＲＬと信号ＧＬとのＡＮＤ出力信号が“Ｈ”になったタイミングで、“Ｈ”になる。すなわち、信号ＳＥＬＬは、図４のタイミングｔ２´が示すように、ＰＷＭ＿Ｒが立ち下がったタイミングと、ＰＷＭ＿Ｇが立ち下がったタイミングとに重なりが生じた場合に、“Ｈ”になる。その後、信号ＳＥＬＬは、図４のタイミングｔ２´ｅが示すように、信号ＲＬが次に“Ｈ”になったタイミングで、リセットされて“Ｌ”になる。
【００８８】
一方、ＤＦＦ３０７は、信号ＲＨと信号ＧＨとのＡＮＤ出力信号を入力ＣＫとして、信号ＳＥＬＨを出力する。信号ＳＥＬＨは、信号ＲＨと信号ＧＨとのＡＮＤ出力信号が“Ｈ”になったタイミングで、“Ｈ”になる。すなわち、信号ＳＥＬＨは、図４のタイミングｔ４´が示すように、ＰＷＭ＿Ｒが立ち上がったタイミングと、ＰＷＭ＿Ｇが立ち上がったタイミングとに重なりが生じた場合に、“Ｈ”になる。その後、信号ＳＥＬＨは、図４のタイミングｔ４´ｅが示すように、信号ＲＬが次に“Ｈ”になったタイミングで、リセットされて“Ｌ”になる。
【００８９】
通常（信号ＳＥＬＬが“Ｌ”の期間かつ信号ＳＥＬＨが“Ｌ”の期間）は、ＰＷＭ信号調整回路１０４は、ＰＷＭ＿ＲからＣＫで２周期遅れたＲＱ２を、ＰＷＭ＿Ｒｏｕｔとして出力し、ＰＷＭ＿ＧからＣＫで２周期遅れたＧＱ２を、ＰＷＭ＿Ｇｏｕｔとして出力するように構成されている。
【００９０】
しかしながら、図４において、タイミングｔ２´からｔ２´ｅまでの期間、およびタイミングｔ４´からｔ４´ｅまでの期間のように、信号ＳＥＬＬが“Ｈ”の期間および信号ＳＥＬＨが“Ｈ”の期間は、ＰＷＭ＿Ｒと、ＰＷＭ＿Ｇとの変化タイミングとが重なるタイミングを含んでいる期間である。
【００９１】
そこで、ＰＷＭ信号調整回路１０４は、このような信号ＳＥＬＬが“Ｈ”の期間および信号ＳＥＬＨが“Ｈ”の期間は、ＰＷＭ＿ＲからＣＫで３周期遅れたＲＱ３を、ＰＷＭ＿Ｒｏｕｔとして出力する。
【００９２】
一方、ＰＷＭ信号調整回路１０４は、信号ＳＥＬＬが“Ｈ”の期間および信号ＳＥＬＨが“Ｈ”の期間においても、ＰＷＭ＿ＧからＣＫで２周期遅れたＲＱ２を、ＰＷＭ＿Ｒｏｕｔとして出力する。
【００９３】
すなわち、ＰＷＭ信号調整回路１０４は、ＰＷＭ＿ＲとＰＷＭ＿Ｇとの変化タイミングとが重なるタイミングを含んでいる期間においては、一方のＰＷＭ信号の変化タイミングをＣＫで１周期遅らせて出力する。これにより、ＰＷＭ信号調整回路１０４は、ＰＷＭ＿ＲとＰＷＭ＿Ｇとの変化タイミングの重なりを解消する。
【００９４】
このように、本実施の形態１のＰＷＭ信号調整回路１０４は、入力された２つのＰＷＭ信号のうちの一方のＰＷＭ信号について、変化タイミングが異なるＰＷＭ信号を生成しておき、入力された２つのＰＷＭ信号の変化タイミング同士の重なりを検知した場合、上記一方のＰＷＭ信号の一部の期間の変化タイミングを、生成しておいたＰＷＭ信号に変更することでずらし、この重なりを解消するのである。
【００９５】
以上説明したとおり、本実施の形態１の発光ダイオード点灯装置１００によれば、各ＰＷＭ信号の変化タイミングを互いに重ならないように変更することにより、複数のＬＥＤアレイが同一のタイミングで駆動されることによるノイズの発生を防止することができる。特に、各ＰＷＭ信号の変化タイミングの重なりを監視し、この重なりが発生する都度、この重なりを解消するように構成しているため、入力された複数のＰＷＭ信号の周期や振幅が不規則的なものであったり、周期が互いに異なるなど、変化タイミングの重なりの予測が困難なものであったとしても、この重なりを解消することができる。
【００９６】
（実施の形態２）
次に、本発明に係る発光ダイオード点灯装置の実施の形態２について説明する。実施の形態２は、ＰＷＭ信号調整回路１０４の構成が、実施の形態１と相違する。この実施の形態２では、ＰＷＭ＿Ｒ、ＰＷＭ＿Ｇ、およびＰＷＭ＿Ｂの３つのＰＷＭ信号に着目し、これらのＰＷＭ信号同士において、変化タイミング（立ち上がりタイミングおよび立ち下がりタイミング）の重なりを解消するためのＰＷＭ信号調整回路１０４の構成例を説明する。
【００９７】
図５は、実施の形態２に係るＰＷＭ信号調整回路１０４の構成を示す回路図である。図６は、実施の形態２に係るＰＷＭ信号調整回路１０４が扱う各種信号のタイミングを示すタイミング図である。
【００９８】
実施の形態１のＰＷＭ信号調整回路１０４では、ＰＷＭ＿ＲとＰＷＭ＿Ｇとを比較して、これらのＰＷＭ信号同士に変化タイミングの重なりがあるかを検出する構成とした。
【００９９】
この実施の形態２のＰＷＭ信号調整回路１０４では、ＰＷＭ＿ＲとＰＷＭ＿Ｇ、ＰＷＭ＿ＲとＰＷＭ＿Ｂ、ＰＷＭ＿ＧとＰＷＭ＿Ｂ、のそれぞれを比較して、これらのＰＷＭ信号同士に変化タイミングの重なりがあるかを検出する構成となっている。
【０１００】
以下、本実施の形態２のＰＷＭ信号調整回路１０４のうち、実施の形態１のＰＷＭ信号調整回路１０４からの変更点について説明する。
【０１０１】
本実施の形態２のＰＷＭ信号調整回路１０４は、ＤＦＦ５０１をさらに備える。ＤＦＦ５０１には、ＤＦＦ３０３から出力された信号ＲＱ３が入力される。ＤＦＦ５０１は、ＣＫの立ち上がりで、ＲＱ３の状態をラッチし、ＲＱ３よりＣＫの１周期遅れたＲＱ４を生成する。すなわち、本実施の形態２のＰＷＭ信号調整回路１０４は、ＰＷＭ信号調整回路１０４に入力されたＰＷＭ信号ＰＷＭ＿Ｒから、ＣＫの１周期遅れたＲＱ１、ＣＫの２周期遅れたＲＱ２、ＣＫの３周期遅れたＲＱ３、およびＣＫの４周期遅れたＲＱ４を生成する。
【０１０２】
また、本実施の形態２のＰＷＭ信号調整回路１０４は、ＤＦＦ５０２をさらに備える。ＤＦＦ５０２には、ＤＦＦ３０５から出力された信号ＧＱ２が入力される。ＤＦＦ５０２は、ＣＫの立ち上がりで、ＧＱ２の状態をラッチし、ＧＱ２よりＣＫの１周期遅れたＧＱ３を生成する。すなわち、本実施の形態２のＰＷＭ信号調整回路１０４は、ＰＷＭ信号調整回路１０４に入力されたＰＷＭ信号ＰＷＭ＿Ｇから、ＣＫの１周期遅れたＧＱ１、ＣＫの２周期遅れたＧＱ２、およびＣＫの３周期遅れたＲＱ３を生成する。
【０１０３】
また、本実施の形態２のＰＷＭ信号調整回路１０４は、ＤＦＦ５１１，５１２を備えている。本実施の形態２のＰＷＭ信号調整回路１０４は、これら複数のＤＦＦによって、ＰＷＭ＿ＢのＰＷＭ信号から、変化タイミングが異なる複数のＰＷＭ信号を生成する回路構成を有している。
【０１０４】
具体的に説明すると、ＰＷＭ信号調整回路１０４に入力されたＰＷＭ信号ＰＷＭ＿Ｂは、ＤＦＦ５１１に入力される。ＤＦＦ５１１は、ＣＫの立ち上がりで、ＰＷＭ＿Ｂの状態をラッチし、ＰＷＭ＿ＢよりＣＫの１周期遅れたＢＱ１を生成する。ＢＱ１は、ＤＦＦ５１２に入力される。ＤＦＦ５１２は、ＣＫの立ち上がりで、ＢＱ１の状態をラッチし、ＢＱ１よりＣＫの１周期遅れたＢＱ２を生成する。
【０１０５】
このようにして、ＰＷＭ信号調整回路１０４は、ＰＷＭ＿Ｂから入力されたＰＷＭ信号から、ＣＫの１周期遅れたＢＱ１、およびＣＫの２周期遅れたＢＱ２を生成する。
【０１０６】
また、図５に示すように、本実施の形態２のＰＷＭ信号調整回路１０４は、複数のＡＮＤ回路および複数のインバータ回路による、ＰＷＭ＿ＲとＰＷＭ＿Ｂとの変化タイミング同士の重なりを検出する回路構成と、ＰＷＭ＿ＧとＰＷＭ＿Ｂとの変化タイミング同士の重なりを検出する回路構成とを有している。
【０１０７】
具体的に説明すると、まず、ＰＷＭ信号調整回路１０４は、ＰＷＭ＿Ｂの変化タイミングを示す、信号ＢＨおよび信号ＢＬを生成する。
【０１０８】
信号ＢＬは、ＢＱ１の反転信号と、ＢＱ２との、ＡＮＤ出力である。この信号ＢＬは、ＰＷＭ＿Ｂが、ＣＫの１周期の間に“Ｈ”から“Ｌ”に変化したことを示すものである。
【０１０９】
信号ＢＨは、ＢＱ１と、ＢＱ２の反転信号との、ＡＮＤ出力である。この信号ＢＨは、ＰＷＭ＿Ｂが、ＣＫの１周期の間に“Ｌ”から“Ｈ”に変化したことを示すものである。
【０１１０】
次に、ＰＷＭ信号調整回路１０４は、信号ＲＬと信号ＢＬとのＡＮＤ出力信号、および信号ＲＨと信号ＢＨとのＡＮＤ出力信号を生成し、これをＰＷＭ＿ＲとＰＷＭ＿Ｂとの変化タイミング同士の重なりを示す信号として出力する。
【０１１１】
さらに、ＰＷＭ信号調整回路１０４は、信号ＧＬと信号ＢＬとのＡＮＤ出力信号、および信号ＧＨと信号ＢＨとのＡＮＤ出力信号を生成し、これをＰＷＭ＿ＧとＰＷＭ＿Ｂとの変化タイミング同士の重なりを示す信号として出力する。
【０１１２】
さらに、図５に示すように、本実施の形態２のＰＷＭ信号調整回路１０４は、ＤＦＦ５１３，５１４，５１５，５１６を備えている。本実施の形態２のＰＷＭ信号調整回路１０４は、これら複数のＤＦＦを含む各種回路（ＤＦＦ、ＡＮＤ回路、ＯＲ回路、インバータ回路）によって、ＰＷＭ＿ＲとＰＷＭ＿Ｂとの変化タイミング同士、およびＰＷＭ＿ＧとＰＷＭ＿Ｂとの変化タイミング同士の重なりを検出した場合に、これらの重なりが解消するように、出力するＰＷＭ信号の変化タイミングを変更する回路構成を有している。
【０１１３】
具体的には、ＤＦＦ５１３は、信号ＲＬと信号ＢＬとのＡＮＤ出力信号を入力ＣＫとして、信号ＳＥＬＬ２を出力する。信号ＳＥＬＬ２は、信号ＲＬと信号ＢＬとのＡＮＤ出力信号が“Ｈ”になったタイミングで、“Ｈ”になる。すなわち、信号ＳＥＬＬ２は、ＰＷＭ＿Ｒが立ち下がったタイミングと、ＰＷＭ＿Ｂが立ち下がったタイミングとに重なりが生じた場合に、“Ｈ”になる。その後、信号ＳＥＬＬ２は、信号ＲＨが次に“Ｈ”になったタイミングで、リセットされて“Ｌ”になる。
【０１１４】
また、ＤＦＦ５１４は、信号ＲＨと信号ＢＨとのＡＮＤ出力信号を入力ＣＫとして、信号ＳＥＬＨ２を出力する。信号ＳＥＬＨ２は、信号ＲＨと信号ＢＨとのＡＮＤ出力信号が“Ｈ”になったタイミングで、“Ｈ”になる。すなわち、信号ＳＥＬＨ２は、ＰＷＭ＿Ｒが立ち上がったタイミングと、ＰＷＭ＿Ｂが立ち上がったタイミングとに重なりが生じた場合に、“Ｈ”になる。その後、信号ＳＥＬＨ２は、信号ＲＬが次に“Ｈ”になったタイミングで、リセットされて“Ｌ”になる。
【０１１５】
また、ＤＦＦ５１５は、信号ＧＬと信号ＢＬとのＡＮＤ出力信号を入力ＣＫとして、信号ＳＥＬＬ３を出力する。信号ＳＥＬＬ３は、信号ＧＬと信号ＢＬとのＡＮＤ出力信号が“Ｈ”になったタイミングで、“Ｈ”になる。すなわち、信号ＳＥＬＬ３は、ＰＷＭ＿Ｇが立ち下がったタイミングと、ＰＷＭ＿Ｂが立ち下がったタイミングとに重なりが生じた場合に、“Ｈ”になる。その後、信号ＳＥＬＬ３は、信号ＧＨが次に“Ｈ”になったタイミングで、リセットされて“Ｌ”になる。
【０１１６】
また、ＤＦＦ５１６は、信号ＧＨと信号ＢＨとのＡＮＤ出力信号を入力ＣＫとして、信号ＳＥＬＨ３を出力する。信号ＳＥＬＨ３は、信号ＧＨと信号ＢＨとのＡＮＤ出力信号が“Ｈ”になったタイミングで、“Ｈ”になる。すなわち、信号ＳＥＬＨ３は、ＰＷＭ＿Ｇが立ち上がったタイミングと、ＰＷＭ＿Ｂが立ち上がったタイミングとに重なりが生じた場合に、“Ｈ”になる。その後、信号ＳＥＬＨ３は、信号ＧＬが次に“Ｈ”になったタイミングで、リセットされて“Ｌ”になる。
【０１１７】
以上までの説明で、ＰＷＭ信号調整回路１０４は、信号ＳＥＬＬ、信号ＳＥＬＨ、信号ＳＥＬＬ２、信号ＳＥＬＨ２、信号ＳＥＬＬ３、および信号ＳＥＬＨ３生成したことになる。いずれの信号も、ＰＷＭ信号の変化タイミング同士の重なりの有無を示すものであるから、ＰＷＭ信号調整回路１０４は、これらの信号に基づいて、ＰＷＭ信号の変化タイミングの変更を制御する。
【０１１８】
例えば、信号ＳＥＬＬ，ＳＥＬＨ，ＳＥＬＬ２，ＳＥＬＨ２，ＳＥＬＬ３，ＳＥＬＨ３のいずれも“Ｌ”の場合、すなわち、いずれのＰＷＭ信号においても変化タイミングの重なりが生じていない場合について説明する。この場合、４入力ＯＲ回路５２１および２入力ＯＲ回路５２２の出力信号はいずれも“Ｌ”となる。したがって、２つのＡＮＤ回路とＯＲ回路との複合回路である複合回路５２３は、ＰＷＭ＿Ｒｏｕｔとして、ＲＱ２を出力する。また、２つのＡＮＤ回路とＯＲ回路との複合回路である複合回路５２４は、ＰＷＭ＿Ｇｏｕｔとして、ＧＱ２を出力する。なお、ＰＷＭ＿Ｂｏｕｔは、タイミングの変更を行わない基準となるＰＷＭ信号となっているため、ＰＷＭ信号の変化タイミング同士の重なりの有無に関わらず、常にＢＱ２を出力する。
【０１１９】
他の例として、信号ＳＥＬＬまたは信号ＳＥＬＨが“Ｈ”の場合、すなわち、ＰＷＭ＿ＲとＰＷＭ＿Ｇとで変化タイミング同士の重なりが生じた場合について説明する。この場合、４入力ＯＲ回路５２１の出力信号が“Ｈ”となる。このため、複合回路５２３は、ＰＷＭ＿Ｒｏｕｔとして、ＲＱ３またはＲＱ４を出力する。
【０１２０】
このとき、ＲＱ３またはＲＱ４のいずれを出力するかは、さらにＰＷＭ＿ＲとＰＷＭ＿Ｂとの変化タイミング同士が重なるか否かによって決定付けられる。具体的には、さらにＰＷＭ＿ＲとＰＷＭ＿Ｂとの変化タイミング同士が重なる場合には、信号ＳＥＬＬと信号ＳＥＬＬ２との双方が“Ｈ”となる。もしくは、信号ＳＥＬＨと信号ＳＥＬＨ２との双方が“Ｈ”となる。これにより、図５中の２つのＡＮＤ回路とＯＲ回路との複合回路である複合回路５２５は、“Ｈ”を出力する。そして、図５中の２つのＡＮＤ回路とＯＲ回路との複合回路である複合回路５２６は、ＲＱ４を選択的に出力する。この結果、複合回路５２３は、ＰＷＭ＿Ｒｏｕｔとして、ＲＱ４を出力することとなる。一方、さらにＰＷＭ＿ＲとＰＷＭ＿Ｂとの変化タイミング同士が重ならない場合には、複合回路５２５は、“Ｌ”を出力する。そして、複合回路５２６は、ＲＱ３を選択的に出力する。この結果、複合回路５２３は、ＰＷＭ＿Ｒｏｕｔとして、ＲＱ３を出力することとなる。
【０１２１】
ここで、図６を用いて、本実施の形態２のＰＷＭ信号調整回路１０４の動作の具体例を説明する。
【０１２２】
図６において、タイミングｔ１においては、ＰＷＭ＿Ｒの立ち上がりタイミングと、ＰＷＭ＿Ｇの立ち上がりタイミングとが重なり合っている。しかしながら、さらにＰＷＭ＿ＲとＰＷＭ＿Ｂとの変化タイミング同士が重なり合っているわけではないので、ＰＷＭ信号調整回路１０４は、ＰＷＭ＿Ｒｏｕｔとして、ＲＱ３を出力する。これにより上記の重なりが解消されるので、ＰＷＭ信号調整回路１０４は、ＰＷＭ＿Ｇｏｕｔとしては、引き続きＧＱ２を出力する。なお、既に説明したとおり、ＰＷＭ信号調整回路１０４は、ＰＷＭ＿Ｂｏｕｔとしては、常にＢＱ２を出力する。
【０１２３】
その後のタイミングｔ２においては、ＰＷＭ＿Ｒが立ち下がったことにより、タイミングｔ２´において、ＤＦＦ３０７はリセットされ、信号ＳＥＬＨは“Ｌ”となるが、ＰＷＭ＿Ｒの立ち下がりタイミングと、ＰＷＭ＿Ｇの立ち下がりタイミングとが重なり合っているため、信号ＳＥＬＬが“Ｈ”となる。したがって、４入力ＯＲ回路５２１の出力信号は“Ｈ”のままとなり、ＰＷＭ信号調整回路１０４は、ＰＷＭ＿Ｒｏｕｔとして、引き続きＲＱ３を出力し、ＰＷＭ＿Ｇｏｕｔとして、引き続きＧＱ２を出力する。
【０１２４】
要約すると、図６において、タイミングｔ１´からｔ２´ｅまでの期間は、ＰＷＭ＿ＲとＰＷＭ＿Ｇとの変化タイミングとが重なるタイミングを含んでいる期間である。そこで、上記したとおり、ＰＷＭ信号調整回路１０４は、この期間は、ＲＱ２からＣＫで１周期遅れたＲＱ３を、ＰＷＭ＿Ｒｏｕｔとして出力する。これにより、ＰＷＭ信号調整回路１０４は、ＰＷＭ＿ＲとＰＷＭ＿Ｇとの変化タイミングの重なりを解消する。
【０１２５】
その後のタイミングｔ３においては、ＰＷＭ＿Ｒの立ち上がりタイミングと、ＰＷＭ＿Ｇの立ち上がりタイミングとが重なり合っているうえ、さらにＰＷＭ＿Ｂの立ち上がりタイミングが重なり合っている。これにより、タイミングｔ３´において信号ＳＥＬＨと信号ＳＥＬＨ２との双方が“Ｈ”となるため、ＰＷＭ信号調整回路１０４は、ＰＷＭ＿Ｒｏｕｔとして、ＲＱ４を出力する。また、信号ＳＥＬＨ３も“Ｈ”となるため、２入力ＯＲ回路５２２の出力信号は“Ｈ”となり、複合回路５２４は、ＧＱ３を選択的に出力する。この結果、ＰＷＭ信号調整回路１０４は、ＰＷＭ＿Ｇｏｕｔとして、ＧＱ３を出力することとなる。
【０１２６】
その後のタイミングｔ４においては、ＰＷＭ＿Ｒの立ち下がりタイミングと、ＰＷＭ＿Ｇの立ち下がりタイミングとが重なり合っているうえ、さらにＰＷＭ＿Ｂの立ち下がりタイミングが重なり合っている。これにより、タイミングｔ４´において信号ＳＥＬＬと信号ＳＥＬＬ２との双方が“Ｈ”となるため、ＰＷＭ信号調整回路１０４は、ＰＷＭ＿Ｒｏｕｔとして、引き続きＲＱ４を出力する。また、信号ＳＥＬＬ３も“Ｈ”となるため、２入力ＯＲ回路５２２の出力信号は“Ｈ”となり、複合回路５２４は、ＧＱ３を選択的に出力する。この結果、ＰＷＭ信号調整回路１０４は、ＰＷＭ＿Ｇｏｕｔとして、引き続きＧＱ３を出力することとなる。
【０１２７】
要約すると、図６において、タイミングｔ３´からｔ４´ｅまでの期間は、ＰＷＭ＿ＲとＰＷＭ＿ＧとＰＷＭ＿Ｂとの変化タイミングとが重なるタイミングを含んでいる期間である。そこで、上記したとおり、ＰＷＭ信号調整回路１０４は、この期間は、ＲＱ２からＣＫで２周期遅れたＲＱ４を、ＰＷＭ＿Ｒｏｕｔとして出力する。また、ＧＱ２からＣＫで１周期遅れたＧＱ３を、ＰＷＭ＿Ｇｏｕｔとして出力する。これにより、ＰＷＭ信号調整回路１０４は、ＰＷＭ＿ＲとＰＷＭ＿ＧとＰＷＭ＿Ｂとの変化タイミングの重なりを解消する。
【０１２８】
このように、本実施の形態２のＰＷＭ信号調整回路１０４は、入力された３つのＰＷＭ信号のうちの第１のＰＷＭ信号（ＰＷＭ＿Ｂ）を除く、第２のＰＷＭ信号（ＰＷＭ＿Ｇ）および第３のＰＷＭ信号（ＰＷＭ＿Ｒ）について、遅延信号を生成しておき、第３のＰＷＭ信号（ＰＷＭ＿Ｒ）については、さらなる遅延信号を生成しておく。
【０１２９】
そして、入力された２つのＰＷＭ信号の変化タイミング同士の重なりを検知した場合、第２のＰＷＭ信号（ＰＷＭ＿Ｇ）または第３のＰＷＭ信号（ＰＷＭ＿Ｒ）の変化タイミングを、生成しておいた遅延信号に変更することでずらし、この重なりを解消するのである。
【０１３０】
さらに、入力された３つのＰＷＭ信号の変化タイミング同士の重なりを検知した場合、第２のＰＷＭ信号（ＰＷＭ＿Ｇ）の変化タイミングを、生成しておいた遅延信号に変更することでずらし、第３のＰＷＭ信号（ＰＷＭ＿Ｒ）の変化タイミングを、生成しておいたさらなる遅延信号に変更することでずらし、この重なりを解消するのである。
【０１３１】
以上説明したとおり、本実施の形態２の発光ダイオード点灯装置１００によれば、各ＰＷＭ信号の変化タイミングを互いに重ならないように変更することにより、複数のＬＥＤアレイが同一のタイミングで駆動されることによるノイズの発生を防止することができる。特に、各ＰＷＭ信号の変化タイミングの重なりを監視し、この重なりが発生する都度、この重なりを解消するように構成しているため、入力された複数のＰＷＭ信号の周期や振幅が不規則的なものであったり、周期が互いに異なるなど、変化タイミングの重なりの予測が困難なものであったとしても、この重なりを解消することができる。
【０１３２】
（実施の形態３）
次に、本発明に係る発光ダイオード点灯装置の実施の形態３について説明する。図７は、実施の形態３に係る発光ダイオード点灯装置の構成を示す回路図である。図７に示す発光ダイオード点灯装置７００は、これまでに説明した発光ダイオード点灯装置１００と同様に、複数の発光ダイオード（ＬＥＤアレイ９２１Ｒ，９２１Ｇ，９２１Ｂ）を点灯させる装置である。この発光ダイオード点灯装置７００は、発光ダイオード点灯制御回路１０３とは異なる発光ダイオード点灯制御回路７０３を備える点で、発光ダイオード点灯装置１００と相違する。発光ダイオード点灯制御回路７０３は、ダイオード点灯制御回路１０３が備えるＬＥＤドライバ１０５とは異なるＬＥＤドライバ７０５を備える。ＬＥＤドライバ７０５は、ＰＷＭ信号調整回路１０４に代えて、ＰＷＭタイミング調整回路７１０を備える点で、ＬＥＤドライバ１０５と相違する。なお、後述するが、ＰＷＭタイミング調整回路７１０は、ＰＷＭ信号調整回路１０４と同様のＰＷＭ信号調整回路７１２を有している。
【０１３３】
実施の形態２の発光ダイオード点灯装置１００では、ＰＷＭ信号調整回路によって、あるＰＷＭ信号（ＰＷＭ＿Ｂ）を基準として、他のＰＷＭ信号（ＰＷＭ＿ＲおよびＰＷＭ＿Ｇ）のタイミングを変更することにより、これら複数のＰＷＭ信号の変化タイミングの重なりを回避する構成を用いている。
【０１３４】
本実施の形態３の発光ダイオード点灯装置７００は、実施の形態２のようにあるＰＷＭ信号のタイミングだけが常に変更されるといった偏りを回避するため、ＰＷＭタイミング調整回路７１０によって、ＰＷＭ信号調整回路に入力されるＰＷＭ信号を入れ替えることで、タイミングを変更するＰＷＭ信号を変更することができる構成を有している。
【０１３５】
図８は、実施の形態３の係るＰＷＭタイミング調整回路７１０の構成を示す回路図である。図９は、実施の形態３に係るＰＷＭ信号調整回路７１２の構成を示す回路図である。図８に示すように、ＰＷＭタイミング調整回路７１０は、入替回路７１１、ＰＷＭ信号調整回路７１２、入替回路７１３、および制御回路７１４を備えている。
【０１３６】
ＰＷＭ信号調整回路７１２は、図５に示した実施の形態２のＰＷＭ信号調整回路１０４と同様の構成および機能を有しているが、入力の名称および出力の名称だけが異なる。具体的には、ＰＷＭ信号調整回路１０４においては、入力の名称がＰＷＭ＿Ｒ，ＰＷＭ＿Ｇ，ＰＷＭ＿Ｂとなっていたのに対し、図８および図９に示すとおり、ＰＷＭ信号調整回路７１２においては、入力の名称がＰＷＭ＿１Ａ，ＰＷＭ＿２Ａ，ＰＷＭ＿３Ａとなっている。また、ＰＷＭ信号調整回路１０４においては、出力の名称がＰＷＭ＿Ｒｏｕｔ，ＰＷＭ＿Ｇｏｕｔ，ＰＷＭ＿Ｂｏｕｔとなっていたのに対し、ＰＷＭ信号調整回路７１２においては、出力の名称がＰＷＭ＿１Ｂ，ＰＷＭ＿２Ｂ，ＰＷＭ＿３Ｂとなっている。
【０１３７】
これ以外の点については、ＰＷＭ信号調整回路１０４と同様であるため、これまでにしたＰＷＭ信号調整回路１０４の説明において、上記のとおり入力の名称および出力の名称を読み代えることによって、ＰＷＭ信号調整回路７１２の説明とする。
【０１３８】
入替回路７１１は、ＰＷＭ信号調整回路７１２の複数の入力端子に入力される複数のＰＷＭ信号の組み合わせを変更することにより、ＰＷＭ信号調整回路７１２によって変化タイミングが変更されるＰＷＭ信号を変更する第１組み合わせ変更回路として機能する。
【０１３９】
具体的には、入替回路７１１には、ＰＷＭ＿Ｒ，ＰＷＭ＿Ｇ，ＰＷＭ＿Ｂがそれぞれ入力される。入替回路７１１は、スイッチＳＷ０１〜ＳＷ０９を備えており、これら複数のスイッチを切り替えることにより、ＰＷＭ信号調整回路７１２の入力であるＰＷＭ＿１Ａ，ＰＷＭ＿２Ａ，ＰＷＭ＿３Ａのそれぞれに対し、ＰＷＭ＿Ｒ，ＰＷＭ＿Ｇ，ＰＷＭ＿Ｂのいずれを入力するかを切り替える。
【０１４０】
入替回路７１３は、ＰＷＭ信号調整回路７１２の複数の出力端子から組み合わせの変更がなされた状態で出力された複数のＰＷＭ信号が、組み合わせの変更がなされる前の組み合わせで、制御回路９１０Ｒ，９１０Ｇ，９１０Ｂに入力されるように、ＰＷＭ信号調整回路７１２の複数の出力端子から出力された複数のＰＷＭ信号の組み合わせをさらに変更する第２組み合わせ変更回路として機能する。
【０１４１】
具体的には、入替回路７１３には、ＰＷＭ信号調整回路７１２から出力されたＰＷＭ＿１Ｂ，ＰＷＭ＿２Ｂ，ＰＷＭ＿３Ｂがそれぞれ入力される。入替回路７１３は、スイッチＳＷ１１〜ＳＷ１９を備えており、これら複数のスイッチを切り替えることにより、入力されたＰＷＭ＿１Ｂ，ＰＷＭ＿２Ｂ，ＰＷＭ＿３Ｂのそれぞれが、ＰＷＭ＿Ｒｏｕｔ，ＰＷＭ＿Ｇｏｕｔ，ＰＷＭ＿Ｂｏｕｔのうちの対応する端子から出力されるようにする。
【０１４２】
例えば、ＰＷＭ信号調整回路７１２のＰＷＭ＿１Ａに対してＰＷＭ＿Ｒが入力され、ＰＷＭ信号調整回路７１２のＰＷＭ＿１ＢからＰＷＭ＿Ｒが出力された場合、入替回路７１３は、これがＰＷＭ＿Ｒｏｕｔに出力されるようにスイッチを切り替える。同様に、入替回路７１３は、ＰＷＭ＿ＧがＰＷＭ＿Ｇｏｕｔに、ＰＷＭ＿ＢがＰＷＭ＿Ｂｏｕｔに出力されるようにスイッチを切り替える。
【０１４３】
入替回路７１１が備えるスイッチＳＷ０１〜ＳＷ０９、および入替回路７１３が備えるスイッチＳＷ１１〜ＳＷ１９の制御は、制御回路７１４によって行われる。
【０１４４】
制御回路７１４は、ＰＷＭ信号調整回路７１２のＰＷＭ＿１Ａ，ＰＷＭ＿２Ａ，ＰＷＭ＿３Ａに入力されるＰＷＭ信号の組み合わせが６通りであるのに応じて、０〜５までの６通りの値を示す、３ビットの設定値Ｄ２，Ｄ１，Ｄ０が入力され、この設定値に応じて、ＰＷＭ信号の組み合わせを決定し、これに応じて、入替回路７１１が備えるスイッチＳＷ０１〜ＳＷ０９、および入替回路７１３が備えるスイッチＳＷ１１〜ＳＷ１９の制御を行う。上記設定値は、制御回路７１４の外部あるいは内部に設けられた設定スイッチやカウンタ回路で発生され、０〜５までの６通りの値を２進数で示すものである。
【０１４５】
ここで、制御回路７１４による制御の具体例を説明する。図１０は、実施の形態３に係る制御回路７１４による制御の具体例を示す図である。
【０１４６】
図１０に示すように、制御回路７１４は、設定値Ｄ２，Ｄ１，Ｄ０に応じて、入替回路７１１が備えるスイッチＳＷ０１〜ＳＷ０９、および入替回路７１３が備えるスイッチＳＷ１１〜ＳＷ１９のオン／オフの制御を行う。図１０において、“○”が設定されているスイッチは、当該スイッチをオンにすることを示すものであり、“○”が設定されていないスイッチは、当該スイッチをオフにすることを示すものである。
【０１４７】
例えば、図１０に示す例では、（Ｄ２，Ｄ１，Ｄ０）＝（０，０，０）の場合、制御回路７１４は、入替回路７１１のスイッチＳＷ０１，ＳＷ０５，ＳＷ０９、および入替回路７１３のスイッチＳＷ１１，ＳＷ１５，ＳＷ１９をオンにして、その他のスイッチをオフにする。
【０１４８】
この場合、入替回路７１１のＰＷＭ＿１Ａからは、ＰＷＭ＿Ｒが出力され、ＰＷＭ＿２Ａからは、ＰＷＭ＿Ｇが出力され、ＰＷＭ＿３Ａからは、ＰＷＭ＿Ｂが出力される。
【０１４９】
ＰＷＭ信号調整回路７１２において、タイミングが変更されるのは、ＰＷＭ＿１Ａから入力されたＰＷＭ信号と、ＰＷＭ＿２Ａから入力されたＰＷＭ信号である。
【０１５０】
したがって、ＰＷＭ信号調整回路７１２では、実施の形態２と同様に、ＰＷＭ＿ＲおよびＰＷＭ＿Ｇのタイミングが変更される。
【０１５１】
そして、入替回路７１３のＰＷＭ＿Ｒｏｕｔからは、ＰＷＭ＿１Ｂが出力され、ＰＷＭ＿Ｇｏｕｔからは、ＰＷＭ＿２Ｂが出力され、ＰＷＭ＿Ｂｏｕｔからは、ＰＷＭ＿３Ｂが出力される。
【０１５２】
また、（Ｄ２，Ｄ１，Ｄ０）＝（０，０，１）の場合、制御回路７１４は、入替回路７１１のスイッチＳＷ０１，ＳＷ０６，ＳＷ０８、および入替回路７１３のスイッチＳＷ１１，ＳＷ１６，ＳＷ１８をオンにして、その他のスイッチをオフにする。
【０１５３】
この場合、入替回路７１１のＰＷＭ＿１Ａからは、ＰＷＭ＿Ｒが出力され、ＰＷＭ＿２Ａからは、ＰＷＭ＿Ｂが出力され、ＰＷＭ＿３Ａからは、ＰＷＭ＿Ｇが出力される。
このようにして、入替回路７１１は、ＰＷＭ＿ＧとＰＷＭ＿Ｂとを入れ替えるのである。
【０１５４】
ＰＷＭ信号調整回路７１２において、タイミングが変更されるのは、ＰＷＭ＿１Ａから入力されたＰＷＭ信号と、ＰＷＭ＿２Ａから入力されたＰＷＭ信号である。
【０１５５】
したがって、ＰＷＭ信号調整回路７１２では、ＰＷＭ＿ＧとＰＷＭ＿Ｂとが入れ替わり、ＰＷＭ＿ＲおよびＰＷＭ＿Ｂのタイミングが変更される。
【０１５６】
そして、入替回路７１３のＰＷＭ＿Ｒｏｕｔからは、ＰＷＭ＿１Ｂが出力され、ＰＷＭ＿Ｇｏｕｔからは、ＰＷＭ＿３Ｂが出力され、ＰＷＭ＿Ｂｏｕｔからは、ＰＷＭ＿２Ｂが出力される。このようにして、入替回路７１３は、ＰＷＭ＿ＧとＰＷＭ＿Ｂとの入れ替わりを、元に戻すのである。
【０１５７】
このように、本実施の形態３の発光ダイオード点灯装置７００は、制御回路７１４に入力された設定値によって、タイミングの変更を行う／行わないＰＷＭ信号を切り替えることができる。これにより、例えば、任意の設定値を制御回路７１４に入力することで、タイミングの変更を行う／行わないＰＷＭ信号を任意に設定できるよう構成することができる。また、また、カウンタ回路などを用いて設定値を周期的に変更することで、タイミングの変更を行う／行わないＰＷＭ信号を周期的に変更するよう構成することもできる。
【０１５８】
ここで、あるＰＷＭ信号のタイミングを変更するということは、対応するＬＥＤアレイの点灯タイミングが変更されるということである。これにより、ＰＷＭ信号のタイミングを変更する前後では、複数のＬＥＤアレイの点灯が重なる期間が異なるため、複数のＬＥＤアレイによって発せられる照明の色合い（色の見え方）にずれが生じる。
【０１５９】
実施の形態２の発光ダイオード点灯装置１００のように、タイミングを変更するＰＷＭ信号があるＰＷＭ信号に固定されている場合は、点灯タイミングが変更されるＬＥＤアレイが決まったものとなるから、複数のＬＥＤアレイによって発せられる照明の色合いの種類は僅かなものとなる。
【０１６０】
一方、実施の形態３の発光ダイオード点灯装置７００のように、タイミングを変更するＰＷＭ信号を変更できる場合は、点灯タイミングが変更されるＬＥＤアレイを変更することができるから、複数のＬＥＤアレイによって発せられる照明の色合いの種類はより多様なものとなる。
【０１６１】
そこで、例えば、実施の形態３の発光ダイオード点灯装置７００において、タイミングの変更を行う／行わないＰＷＭ信号が周期的に変更されるよう構成することで、複数のＬＥＤアレイによって発せられる照明の色合いを多様なものへと周期的に変更することができる。これにより、ＰＷＭ信号のタイミングを変更したことによって生じる色合いのずれ具合も多様なものへと分散されるから、ずれ具合を時間的に平均した場合、タイミングを変更するＰＷＭ信号が固定されている場合よりも、このずれ具合を軽減することができる。
【０１６２】
以上、実施の形態１、２、および３について説明したが、本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０１６３】
すなわち、発光ダイオード点灯制御回路の構成は、少なくとも、「複数のＰＷＭ信号の変化タイミング同士の重なりを検出し、検出された重なりが解消するように、複数のＰＷＭ信号のうちの少なくともいずれか一つのＰＷＭ信号の変化タイミングを変更し、変更後のＰＷＭ信号を含む複数のＰＷＭ信号に基づいて、複数の発光ダイオードの駆動を制御する」という機能を実現することができるものであれば、各実施の形態で説明したものに限らず、実施の形態で説明した回路構成に多様な変更を加えて実施するようにしても良い。この場合、各実施の形態で説明した機能を、他の回路構成で実現するようにしても良い。
【０１６４】
例えば、「複数のＰＷＭ信号の変化タイミング同士の重なりを検出する検出回路」としての機能を実現するための回路構成としては、図３等に示した複数のＡＮＤ回路および複数のインバータ回路によるものに限らず、その他の回路構成によるものであっても良い。
【０１６５】
また、「変化タイミング同士の重なりが解消するように、複数のＰＷＭ信号のうちの少なくともいずれか一つのＰＷＭ信号の変化タイミングを変更する変更回路」としての機能を実現するための回路構成としては、図３等に示した各種回路（ＤＦＦ、ＡＮＤ回路、ＯＲ回路、インバータ回路）によるものに限らず、その他の回路構成によるものであっても良い。
【０１６６】
また、「複数のＰＷＭ信号の各々について、当該ＰＷＭ信号から、当該ＰＷＭ信号の遅延信号を複数生成する生成回路」としての機能を実現するための回路構成としては、図３等に示した複数のＤＦＦによるものに限らず、その他の回路構成によるものであっても良い。
【０１６７】
また、「複数のＰＷＭ信号の組み合わせを変更することにより、変化タイミングが変更されるＰＷＭ信号を変更する第１組み合わせ変更回路」としての機能を実現するための回路構成としては、図８に示した入替回路７１１によるものに限らず、その他の回路構成によるものであっても良い。
【０１６８】
また、「変更回路の複数の出力端子から組み合わせの変更がなされた状態で出力された複数のＰＷＭ信号が、組み合わせの変更がなされる前の組み合わせで、制御回路の複数の入力端子に入力されるように、変更回路の複数の出力端子から出力された複数のＰＷＭ信号の組み合わせをさらに変更する第２組み合わせ変更回路」としての機能を実現するための回路構成としては、図８に示した入替回路７１３によるものに限らず、その他の回路構成によるものであっても良い。
【０１６９】
また、各実施の形態で説明した機能に変更を加え、これを他の回路構成で実現するようにしても良い。
【０１７０】
例えば、各実施の形態では、変化タイミングの重なりが検出されたＰＷＭ信号の一部期間のタイミングを変更する回路構成としたが、これに限らない。例えば、変化タイミングの重なりが検出されたＰＷＭ信号の全期間のタイミングを変更する回路構成としても良い。
【０１７１】
また、各実施の形態では、変化タイミングの重なりが検出されたＰＷＭ信号のうち、重なりが検出された変化タイミングを含む一部の期間の信号を、予め生成された遅延信号と入れ替えることにより、重なりを解消する回路構成としたが、これに限らない。例えば、変化タイミングの重なりが検出されたＰＷＭ信号のうち、重なりが検出された変化タイミングを含む一部の期間の信号を遅延させる等して、重なりを解消する回路構成としても良い。
【０１７２】
また、実施の形態１では、２つのＰＷＭ信号のうちの、一方のＰＷＭ信号のタイミングを変更することで、変化タイミングの重なりを解消する回路構成としたが、これに限らない。例えば、２つのＰＷＭ信号の双方のタイミングを変更する回路構成としても良い。
【０１７３】
また、実施の形態２および３では、３つのＰＷＭ信号のうちのいずれか１つのＰＷＭ信号を基準として、他のＰＷＭ信号の変化タイミングを変更することで、変化タイミングの重なりを解消する回路構成としたが、これに限らない。例えば、３つのＰＷＭ信号の全てのタイミングを変更することで、変化タイミングの重なりを解消する回路構成としても良い。
【０１７４】
また、各実施の形態では、複数のＰＷＭ信号をＤＦＦでサンプリングし、当該サンプリングがなされた複数のＰＷＭ信号を参照することにより、複数のＰＷＭ信号の各々の変化タイミングを特定する回路構成としたが、これに限らない。例えば、これ以外の他の方法によって、複数のＰＷＭ信号の各々の変化タイミングを特定する回路構成としても良い。
【０１７５】
また、各実施の形態では、通常は遅延信号を出力し、変化タイミングの重なりが検出された場合には、さらなる遅延信号を出力する回路構成としたが、これに限らない。例えば、通常は遅延していないＰＷＭ信号を出力し、変化タイミングの重なりが検出された場合には、遅延信号を出力する回路構成としてもよい。
【０１７６】
また、各実施の形態では、複数のＰＷＭ信号の各々について、生成された複数の遅延信号同士を比較することにより、当該ＰＷＭ信号の変化タイミングを特定する回路構成としたが、これに限らない。例えば、これ以外の他の方法によって、複数のＰＷＭ信号の各々の変化タイミングを特定する回路構成としても良い。
【０１７７】
なお、各実施の形態では、発光ダイオード点灯装置が備える３つのＬＥＤアレイの点灯を制御する例を説明したが、各実施の形態と同様の構成を採用し、これに適宜修正を加えることにより、発光ダイオード点灯装置が備える２つのＬＥＤアレイの点灯を制御したり、発光ダイオード点灯装置が備える４つ以上のＬＥＤアレイの点灯を制御するように構成することもできる。また、発光ダイオード点灯装置が備える２つの単一のＬＥＤの点灯を制御したり、発光ダイオード点灯装置が備える４つ以上の単一のＬＥＤの点灯を制御するように構成することもできる。
【産業上の利用可能性】
【０１７８】
本発明は、ＬＥＤのような複数の発光素子を集合させて１つの光源を構成し、この光源を照明灯として任意の明るさに点灯制御できるようにした発光ダイオード点灯制御回路に適用することができる。
【符号の説明】
【０１７９】
１００  発光ダイオード点灯装置
１０３  発光ダイオード点灯制御回路
１０４  ＰＷＭ信号調整回路（変更回路、検出回路）
１０５  ＬＥＤドライバ
３０１〜３０７  ＤＦＦ
５０１，５０２  ＤＦＦ
５１１〜５１６  ＤＦＦ
５２１  ４入力ＯＲ回路
５２２  ２入力ＯＲ回路
５２３〜５２６  複合回路
７１１  入替回路
７１２  ＰＷＭ信号調整回路
７１３  入替回路
７１４  制御回路
【図１】
0005566920.tif 000002
【図２】
0005566920.tif 000003
【図３】
0005566920.tif 000004
【図４】
0005566920.tif 000005
【図５】
0005566920.tif 000006
【図６】
0005566920.tif 000007
【図７】
0005566920.tif 000008
【図８】
0005566920.tif 000009
【図９】
0005566920.tif 000010
【図１０】
0005566920.tif 000011
【図１１】
0005566920.tif 000012